(57)【要約】【課題】  従来、コイルばねを長さ方向に内蔵した複数のゴム筒と、これらのゴム筒を並列配置した状態で一体に連結したゴム連結板とを備えて、ゴム連結板の中央部にはゴム連結板より肉厚が厚くかつゴム筒の長さより短い厚肉部を設けたものでは、複数のゴム筒にコイルばねを一体に内蔵しており、振動を発生させる機器の荷重と振動とをコイルばねとゴム筒により受けるため一定以上の防振効果が得られない。【解決手段】  本考案は、ボルト固定用穴１ａを穿設した接続用プレート１と、接続用プレートに接続して上下両端を開口させた複数の円筒状弾性体２と、複数の円筒状弾性体に内装したコイルスプリング３と、コイルスプリングの上下両端の内側に挿通させる位置決め用凸部４ａ．５ａを底面に突設すると共に円筒状弾性体の開口に嵌着する上部キャップ４と下部キャップ５とを備えた。【選択図】  図１
0003104710.tif 000002
【実用新案登録請求の範囲】
【請求項１】
中心にボルト固定用穴を穿設した略平坦状の接続用プレートと、該接続用プレートの周辺に胴周を一体に接続して上下両端を開口させた複数の円筒状弾性体と、該複数の円筒状弾性体の内側に夫々内装したコイルスプリングと、該コイルスプリングの上下両端の内側に挿通させる位置決め用凸部を底面に突設すると共に前記円筒状弾性体の両端の開口に夫々嵌着する上部キャップと下部キャップとを備えたことを特徴とする防振装置。
【考案の詳細な説明】
【技術分野】
【産業上の利用分野】
【０００１】  本考案は、防振装置に関するものであり、更に詳細には、ポンプや送風機、パッケージエアコン等の振動を発生させる機器と建物の床又は土台との間に介在させて振動を吸収する防振装置に関するものである。
【背景技術】
【０００２】  従来、この種のコイルスプリングの弾性を利している防振装置は各種開発され使用されているが、何れも、コイルスプリングを柔軟部材であるゴム等で形成した円筒状部材の胴壁に一体に埋設させているものであった。【０００３】  例えば、コイルばねを長さ方向に内蔵した複数のゴム筒と、これらのゴム筒を並列配置した状態で一体に連結したゴム連結板とを備えて、ゴム連結板の中央部にはゴム連結板より肉厚が厚くかつゴム筒の長さより短い厚肉部を設けたもの（特許文献１参照）や、円筒形ゴム部材の中にコイルばねを埋設してなる４個の円筒形複合ばね部材と、これらを連設させる略長方形のゴム板状部材からなる防振部材において、４個の円筒形複合ばね部材を略長方形のゴム板状部材の四隅に、中央にボルト貫通穴を配設し、さらに、２個の透孔をボルト貫通穴の両側に設けたもの（特許文献２参照）等が開示されている。
【特許文献１】実開平６−７３４９３号公報
【特許文献２】実開平６−８５９４５号公報
【考案の開示】
【考案が解決しようとする課題】
【０００４】  然し乍ら、コイルばねを長さ方向に内蔵した複数のゴム筒と、これらのゴム筒を並列配置した状態で一体に連結したゴム連結板とを備えて、ゴム連結板の中央部にはゴム連結板より肉厚が厚くかつゴム筒の長さより短い厚肉部を設けたものでは、複数のゴム筒にコイルばねを一体に内蔵しており、振動を発生させる機器の荷重と振動とをコイルばねとゴム筒により受けるため一定以上の防振効果が得られないものであった。【０００５】  更には、円筒形ゴム部材の中にコイルばねを埋設してなる４個の円筒形複合ばね部材と、これらを連設させる略長方形のゴム板状部材からなる防振部材において、４個の円筒形複合ばね部材を略長方形のゴム板状部材の四隅に、中央にボルト貫通穴を配設し、さらに、２個の透孔をボルト貫通穴の両側に設けたものでも、円筒形ゴム部材の中にコイルばねを埋設しており、前述と同様なものでった。
【課題を解決するための手段】
【０００６】  本考案は、前述の課題に鑑み、鋭意研鑽の結果、ボルト固定用穴を穿設した接続用プレートと、接続用プレートに接続して上下両端を開口させた複数の円筒状弾性体と、複数の円筒状弾性体に内装したコイルスプリングと、コイルスプリングの上下両端の内側に挿通させる位置決め用凸部を底面に突設すると共に円筒状弾性体の開口に嵌着する上部キャップと下部キャップとを備えたものである。
【考案の効果】
【０００７】  本考案の防振装置は、前述の構成により、コイルスプリングを内装した複数の円筒状弾性体の上下両端の開口を上部キャップと下部キャップとで嵌着しており、コイルスプリングの収納を容易にすると共に、コイルスプリングのバネ定数を変えることにより振動を発生させる機器の加重に適応できるものてあり、更に、振動は主としてコイルスプリングが受けることから大きな荷重に対しても高さを抑えることを可能とし、安定性と防振効果の向上が図れ、更には、下部キャップと上部キャップとの夫々の底面に突設した位置決め用凸部によりコイルスプリングの位置決めが確実に行えるものであり、極めて実用性の高い考案である。
【考案を実施するための最良の形態】
【０００８】  本考案は、防振装置に関するものであり、更に詳細には、ポンプや送風機、パッケージエアコン等の振動を発生させる機器と建物の床又は土台との間に介在させて振動を吸収する防振装置に関するものであり、中心にボルト固定用穴１ａを穿設した略平坦状の接続用プレート１と、該接続用プレート１の周辺に胴周を一体に接続して上下両端を開口させた複数の円筒状弾性体２と、該複数の円筒状弾性体２の内側に夫々内装したコイルスプリング３と、該コイルスプリング３の上下両端の内側に挿通させる位置決め用凸部４ａ．５ａを底面に突設すると共に前記円筒状弾性体２の両端の開口に夫々嵌着する上部キャップ４と下部キャップ５とを備えたものである。
【実施例】
【０００９】  以下、本考案の防振装置の実施例の図面によって具体的に説明すると、図１は本考案の防振装置の実施例の使用状態を説明するための縦中心線より右側を断面とした正面図であり、図２は本考案の防振装置の実施例を説明するための平面図であり、図３は本考案の防振装置の次実施例の使用状態を説明するための縦中心線より右側を断面とした正面図であり、図４は本考案の防振装置の次実施例を説明するための平面図である。【００１０】  即ち、本考案の防振装置の接続用プレート１は合成ゴム等の弾性部材で平坦状に形成されるもので、中心には図１及び図３に図示するように振動を発生させる機器Ａと建物の床又は土台Ｂとに固定する固定用ボルトＣを貫通させるボルト固定用穴１ａを穿設しているもので、周辺には後述する複数の円筒状弾性体２を一体に接続しているものである。【００１１】  そして、複数の円筒状弾性体２は上下両端を開口させた合成ゴム等の接続用プレート１と一体に弾性部材で形成した円筒状のもので、つまり、ボルト固定用穴１ａを中心として接続用プレート１の周辺に対称的に複数の円筒状弾性体２を胴周の上下方向の中央辺を一体に接続したものであり、実施例は８つ、次実施例は４つで構成しているものであるが、複数であればその数は構わないものである。【００１２】  次に、コイルスプリング３は複数の円筒状弾性体２の内側に夫々伸縮自在に内装するもので、バネ炭素鋼等の金属部材を螺旋状に形成されたものでバネ定数を変えることにより、振動を発生する機器Ａの適正荷重に合致させて用いるものであり、コイルスプリング３の両端の内周には後述する上部キャップ４と下部キャップ５との夫々の底面に突設した夫々の位置決め用凸部４ａ．５ａを挿通させるものである。【００１３】  次いで、上部キャップ４と下部キャップ５とは同じもので良く、合成ゴムに鋼板を内蔵させてカップ状に形成したもので、円筒状弾性体２の両端の開口に夫々嵌着するものであり、図１及び図３に図示するように、凸条と凹溝により係合部を形成して外れないように嵌着させるものである。【００１４】  更に、位置決め用凸部４ａ．５ａは上部キャップ４と下部キャップ５との底面の中央に突設しているもので、外径をコイルスプリング３の内径に略接触状態で挿通するように形成し、上部キャップ４と下部キャップ５とを円筒状弾性体２の両端の開口に夫々嵌着することにより、コイルスプリング３の位置を決めをするものである。【００１５】  本考案の防振装置の設置は図１及び図３に図示する如く、接続用プレート１のボルト固定用穴１ａに固定用ボルトＣを挿通させ、該固定用ボルトＣによって振動を発生させる機器Ａと建物等の床や土台Ｂとの間に介装するものであり、実施例では防振装置の上面にスペーサーＤを介装させているものであるが、これはコイルスプリング３に均一に荷重を与えるものである。
【産業上の利用可能性】
【００１６】  本考案の防振装置は、接続用プレートに一体に複数の円筒状弾性体を接続させ、該複数の円筒状弾性体には夫々コイルスプリングを内装させて上部キャップと下部キャップとを嵌着しているもので、振動を発生させる機器と建物の床や土台ての間に介装することにより振動を吸収させるものである。
【図面の簡単な説明】
【００１７】
【図１】  図１は本考案の防振装置の実施例の使用状態を説明するための縦中心線より右側を断面とした正面図である。
【図２】  図２は本考案の防振装置の実施例を説明するための平面図である。
【図３】  図３は本考案の防振装置の次実施例の使用状態を説明するための縦中心線より右側を断面とした正面図である。
【図４】  図４は本考案の防振装置の次実施例を説明するための平面図である。
【符号の説明】
【００１８】１      接続用プレート
１ａ    ボルト固定用穴
２      円筒状弾性体
３      コイルスプリング
４      上部キャップ
４ａ    位置決め用凸部
５      下部キャップ
５ａ    位置決め用凸部
Ａ      振動を発生させる機器
Ｂ      建物の床又は土台
Ｃ      固定用ボルト
Ｄ      スペーサー
【図１】
0003104710.tif 000003
【図２】
0003104710.tif 000004
【図３】
0003104710.tif 000005
【図４】
0003104710.tif 000006